【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
医療保険やがん保険又はペット保険を含む各種の損害保険の保険契約を取り扱う、代理店を含む保険機関ならびに保険契約者が保険契約に付随して寄付を行うことの案内と、
前記保険機関が、前記保険契約者又は被保険者から、個別の寄付先の選択ができる寄付先投票券によって寄付先のアンケート投票を採るための個別の寄付先候補を記載したリスト情報と、
を前記保険機関のホームページに掲載し、
保険契約期間中の所定の期間において、前記寄付先投票券を、予め指定されているデメリット機能付きの投票券であるデメリット投票券に振替える、
デメリット投票への振替機能付き寄付先投票券配信及び集計システムであって、
前記保険契約者又は被保険者についての情報データと、
前記保険契約毎の保険事故の種類又は保険金支払いの種類に関連付けて、前記寄付先投票券を前記デメリット投票券に振替える所定の期間である情報振替処理期間を記載した情報振替処理期間データベースと、
投票集計データと、
保険事故毎の振替先データベースと、
を格納する記憶手段と、
前記保険契約期間中の所定の期間毎に、前記保険契約者又は被保険者が操作する端末に対して、前記寄付先投票券を、ネットワークを介して送信し、
前記保険契約者又は被保険者から返信されてきた前記寄付先投票券を集計して前記記憶手段に蓄積する投票券配信及び集計手段と、
保険契約の管理を行うコンピュータシステムから、前記保険契約毎の保険事故の種類又は保険金支払いの種類についての保険事故情報データを受信する保険事故情報受付手段と、
前記保険事故情報受付手段が、前記保険事故情報データを受信すると、前記受信した保険事故情報データに含まれる前記保険契約毎の保険事故の種類又は保険金支払いの種類を検索キーとして、前記記憶手段内の前記情報振替処理期間データベースを検索し、前記受信した保険事故情報データに対応する前記情報振替処理期間を取得し、
前記取得した情報振替処理期間、若しくは、前記受信した保険事故情報データに含まれる前記保険契約毎の保険事故の種類又は保険金の支払い期間を、前記記憶手段内の前記受信した保険事故情報データに対応する個別の保険契約者又は被保険者についての情報データ内に記載するデメリット情報処理手段と、
前記返信されてきた寄付先投票券のうち、前記受信した保険事故情報データに対応する個別の保険契約者又は被保険者の寄付先投票券を、前記取得された情報振替処理期間、又は、前記受信した保険事故情報データに含まれる前記保険契約毎の保険金の支払い期間において、前記デメリット投票券に振替えた上で、投票された前記寄付先投票券の投票数を、若しくは、前記個別の保険契約者又は被保険者についての情報データ内に記載された前記情報振替処理期間又は保険金の支払い期間を集計する又は再集計する投票済み投票券書換え集計手段と、
を有すること、
を特徴とする、デメリット投票への振替機能付き寄付先投票券配信及び集計システム。
【請求項２】
前記投票券配信及び集計手段は、
インターネットなどのネットワークを経由して、前記保険契約者又は被保険者が操作する端末から、前記寄付先投票券を受付けると、
前記記憶手段内に記憶されている、前記受付けた寄付先投票券に対応する前記個別の保険契約者又は被保険者についての情報データ内に、前記受付けた寄付先投票券の投票に係る投票日と投票で選択した寄付先候補を記載し、
前記投票日が、前記個別の保険契約者又は被保険者についての情報データ内に既に記載されている前記情報振替処理期間に該当した場合は、前記寄付先投票券の投票内容を予め指定されている前記デメリット投票券の内容に振替えた上で集計すること、
を特徴とする、請求項１に記載のデメリット投票への振替機能付き寄付先投票券配信及び集計システム。
【請求項３】
前記投票券配信及び集計手段は、
新たに前記寄付先投票券を送信する場合は、
前記記憶手段内の全ての保険契約者又は被保険者についての情報データを参照して、前記情報振替処理期間の記載の有無を検索し、
前記寄付先投票券を送信する日時が、既に記載されている前記情報振替処理期間に該当する前記保険契約者に対して、新たに送信するべき前記寄付先投票券を前記デメリット投票券に振替えて送信すること又は前記寄付先投票券を送信しないこと、
を特徴とする、請求項１又は請求項２に記載のデメリット投票への振替機能付き寄付先投票券配信及び集計システム。
【請求項４】
前記デメリット情報処理手段は、
前記保険事故情報受付手段が前記保険事故情報データを受信した後に、前記保険事故情報データに含まれる前記保険契約毎の保険事故の種類又は保険金支払いの種類を検索キーとして、前記記憶手段内の前記保険事故毎の振替先データベースから、前記受信した保険事故情報データに対応する保険事故毎の振替先を取得し、
前記取得した保険事故毎の振替先を、前記記憶手段内の、前記受信した保険事故情報データに対応する個別の保険契約者又は被保険者についての情報データ内に記載すること、又は、
前記投票済み投票券書換え集計手段は、
前記記憶手段内の、前記受信した保険事故情報データに対応する個別の保険契約者又は被保険者についての投票済み投票データを、前記保険事故毎の振替先に振替えた上で集計する又は再集計すること、
を特徴とする、請求項１ないし請求項３のいずれかに記載のデメリット投票への振替機能付き寄付先投票券配信及び集計システム。
【請求項５】
前記デメリット情報処理手段は、
前記取得した情報振替処理期間を、前記記憶手段に記憶されている前記個別の保険契約者又は被保険者についての情報データ内に記載する日が、前記個別の保険契約者又は被保険者についての情報データ内に既に記載されている前記情報振替処理期間に該当する場合には、
前記既に記載されている情報振替処理期間の終了日の翌日を新たな開始日として前記取得した情報振替処理期間の日数を加えることによって新たな前記情報振替処理期間の終了日を算出して記載する、又は、
前記既に記載されている情報振替処理期間と前記取得した情報振替処理期間とを合算することにより、前記情報振替処理期間を更新し、
前記寄付先投票券に係る投票日が、既に記載されている前記情報振替処理期間に該当しない場合は、
前記受信した寄付先投票券の投票内容を変更しないこと、
を特徴とする、請求項１ないし請求項４のいずれかに記載のデメリット投票への振替機能付き寄付先投票券配信及び集計システム。
【請求項６】
前記保険契約者又は被保険者についての情報データは、
メールアドレス、郵便番号、住所、氏名、性別、年齢、電話番号、保険会社又は保険代理店が個々の保険契約者毎に定めた記号又は番号、及び保険契約証書番号のいずれかまたは組み合わせであること、又は、
前記保険事故情報データは、
前記保険契約者又は被保険者についての情報データ、保険会社の名称、保険契約の名称、各種の保険事故の名称、保険事故の発生日、保険金又は給付金の支払日、及び保険金又は給付金の支払いに係る期間のいずれかまたは組み合わせであること、
を特徴とする、請求項１ないし請求項５のいずれかに記載のデメリット投票への振替機能付き寄付先投票券配信及び集計システム。
【請求項７】
前記デメリット投票券に振替える処理は、
予め表示されている寄付先候補に投票先を固定すること、又は、投票済みの投票での投票先を予め表示されている寄付先候補に強制的に振替える処理であること、
を特徴とする、請求項１ないし請求項６のいずれかに記載のデメリット投票への振替機能付き寄付先投票券配信及び集計システム。
【請求項８】
前記保険事故情報受付手段は、
前記保険事故情報データを受信する場合に、
前記保険契約者又は被保険者が操作する端末から、ネットワークを介して、前記保険事故情報データを受信すること、
を特徴とする、請求項１ないし請求項７のいずれかに記載のデメリット投票への振替機能付き寄付先投票券配信及び集計システム。